(57)【要約】      （修正有）【課題】帽子に特段の加工を施すことなく、かつ、容易に固定が可能な帽子用留め具を提供する。【解決手段】磁性材料を有してなるヘアクリップ２と、磁石３１を備え、かつこのヘアクリップ２と引きあう抑え部材３と、を有する帽子用留め具とする。なお、この場合において、ヘアクリップ２には、第一の滑り止めが付されてなる。また、この場合において、抑え部材３は、複数の磁石３１と、複数の磁石３１の間に配置される第二の滑り止めと、を有する。また、抑え部材３は、第二の滑り止めと、第二の滑り止めに埋め込まれた複数の磁石３１と、を有する。そして、ヘアクリップ２には中央部に凹部が形成され、抑え部材３の形状は、クリップ２の前記凹部の形状よりも小さい略相似形となっている。【選択図】図１
0003148714.tif 000002
【実用新案登録請求の範囲】
【請求項１】
磁性材料を有してなるヘアクリップと、
磁石を備え、かつ前記ヘアクリップと引きあう抑え部材と、を有する帽子用留め具。
【請求項２】
前記ヘアクリップには、第一の滑り止めが付されてなる請求項１記載の帽子用留め具。
【請求項３】
前記抑え部材は、複数の前記磁石と、前記複数の磁石の間に配置される第二の滑り止めと、を有する請求項１記載の防止用留め具。
【請求項４】
前記抑え部材は、第二の滑り止めと、前記第二の滑り止めに埋め込まれた複数の前記磁石と、を有する請求項１記載の帽子用留め具。
【請求項５】
前記ヘアクリップには中央部に凹部が形成され、
前記抑え部材の形状は、前記クリップの前記凹部の形状よりも小さい略相似形となっている請求項１記載の帽子用留め具。
【考案の詳細な説明】
【技術分野】
【０００１】
本考案は、帽子用留め具に関する。
【背景技術】
【０００２】
帽子は、直射日光を防ぐため、身なりを整えるために有用なものであり、更には、自転車等の移動手段を用いる場合や風の強い日等において、セットしたヘアスタイルを維持するためにも有用なものである。
【０００３】
しかしながら、自転車等の移動手段を用いる場合や風の強い日等においては、帽子が風により頭から飛ばされてしまい、セットしたヘアスタイルを維持することができない、また飛ばされてしまった帽子を拾いに行かなければならなくなるといった問題がある。
【０００４】
このように、帽子が飛ばされてしまうのを防止するための技術として、例えば下記実用新案登録文献１に記載の技術が開示されている。
【０００５】
【特許文献１】実用新案登録第３０７３４８９号
【考案の開示】
【考案が解決しようとする課題】
【０００６】
しかしながら、上記実用新案登録文献１に記載の技術は、帽子に固定器具装着孔を開ける、または、固定器具を接着剤等で帽子に固定させておかなければならず、帽子に特殊な加工を施さなければならないといった課題がある。また固定器具を接着剤等で帽子に固定させる場合、頭部の特定の位置に固定器具を留める必要があるため、その位置あわせに手間が係るといった課題、更にはその位置合わせの際に試行錯誤を繰り返すことで折角セットしたヘアスタイルを乱してしまうといった課題もある。
【０００７】
そこで、本考案は、上記課題を解決し、帽子に特段の加工を施すことなく、かつ、容易に固定が可能な帽子用留め具を提供することを目的とする。
【課題を解決するための手段】
【０００８】
本考案者は、上記課題につき検討を行なっていたところ、磁性材料を有してなるヘアクリップと、磁石を備えかつこのヘアクリップと引きあう抑え部材と、を組み合わせることで容易に帽子を留めることができることを発見し、本考案を完成させるに至った。
【０００９】
すなわち、本考案の一形態に係る帽子用留め具は、磁性材料を有してなるヘアクリップと、磁石を備え、かつヘアクリップと引きあう抑え部材と、を有する。
【考案の効果】
【００１０】
以上、本考案により、帽子に特段の加工を施すことなく、かつ、容易に固定が可能な帽子用留め具を提供することができる。
【考案を実施するための最良の形態】
【００１１】
以下、本考案の実施形態について図面を参照しつつ説明する。ただし、本考案は多くの異なる態様で実施することが可能であり、以下に示す実施形態に限定されるものではない。
【００１２】
図１は、本実施形態に係る帽子用留め具（以下「本留め具」という。）の概略図である。図１で示すように、本留め具１は、磁性材料を有してなるヘアクリップ２と、磁石３１を備え、かつヘアクリップ２と引きあう抑え部材３と、を有する。本留め具１は、ヘアクリップ２を髪の毛に留め、その上に帽子を被り、更にその帽子の上であって、ヘアクリップ２を留めた位置に抑え部材３を配置する。このようにすることで、抑え部材の磁石とヘアクリップとの間の引力を利用して帽子をとめることができる。なお、本留め具１を用いて防止を留めた状態における参考図を図２に示す。
【００１３】
図３は、本実施形態に係るヘアクリップ２（以下「本ヘアクリップ」という。）の概略図（図３中（Ａ）は正面図を、（Ｂ）は背面図を、（Ｃ）は右側面図を示す。）である。本ヘアクリップ２は、上記のとおり、磁石３１と引き合うことができる磁性材料を有して構成されている。本ヘアクリップ２の材質は磁性材料であって磁石３１と引き合うことができる限りにおいて限定されるわけではないが、例えば金属やその酸化物を採用することができ、特に製造容易性、コストの観点から、鉄を含むものであることは好ましい一例である。
【００１４】
また本ヘアクリップ２の毛髪に付される側（正面側）には、第一の滑り止め２１が付されている。第一の滑り止め部材２１が配置されることで、帽子といった重量のあるものを留めた場合であっても髪の毛からずれることなく、帽子を留めつづけることができるようになる。この第一の滑り止めの部材２１としては、限定されるわけではないが、例えばシリコンゴム等の高分子材料を好ましく使用することができる。
【００１５】
本ヘアクリップ２の形状としては、限定されることなく種々の形状を採用することができるが、例えば図１乃至３で示すように、撓みを有する略楕円形の薄い板状の板状部材２２と、この板状部材２２に接続されると共に、この板状部材２２との間で押圧力を生じさせて髪の毛を留めることのできる押圧部材２３と、を有して構成されることは好ましい一例である。このような構成を採用することで本留め具の使用者は（以下単に「使用者」という。）は髪の毛に本ヘアクリップ２を容易にとめることができるとともに、抑え部材における磁石と引き合う部分の面積を確保することができる。なお本図で示すヘアクリップ２１において押圧部材２３は薄い板状の部材であって、縁部板状部材２２の撓む向きを変えることで、板状部材２２との間の押圧力を発生させたり、失わせたりすることができる。また本ヘアクリップにおいて板状部材２２の中央部には孔２２１が形成されており、押圧部材２３がこの中央部の孔２２１に配置されることとなり、押圧部材２３が磁石３１とも引き合わせることが可能となり、より強固に帽子を留めることができる。
【００１６】
また、本実施形態に係る抑え部材３（以下「本抑え部材」という。）は、磁石３１を有して構成されている。図４に、本抑え部材３の概略図（図４（Ａ）は正面図を、（Ｂ）は右側面図）を示す。抑え部材３は、磁石３１を有しているため、ヘアクリップ２と引き合うこととなり、ヘアクリップ２と抑え部材３との間に帽子を配置することで、髪の毛と帽子とを抑え固定させることができる。
【００１７】
また、本実施形態に係る抑え部材は、複数の磁石を有し、その磁石の側辺の間に弾性を有する第二の滑り止め３２を介して接続された構成となっていてもよい。この場合の例を図５に示しておく。磁石３１ａ、３１ｂの間に弾性を有する第二の滑り止め３２を配置することで、抑え部材３全体で撓みを持たせることが可能となり、使用者の頭の形状の曲面に沿って配置し、ヘアクリップ２と抑え部材３とをより密着性させることができるようになる。なお第二の滑り止め３２の例としては、様々採用することができ、弾性を有するものであればシリコンゴム等の高分子であることは好ましい一態様である。なお、図５においては、磁石が２個の例を示しているが、磁石の数はこれに限られることなく、３個以上でも可能である。なおこの場合、それぞれの磁石の間に上記第二の滑り止め３２を配置することが好ましい。また、この場合において抑え部材は、複数の磁石３１が第二の滑り止め３２に埋め込まれた形となっていても良い。このようにすることで、磁石全体としてより高い柔軟性を維持することができ、磁石の選択の幅が広がるといった効果がある。この例を図６に示しておく。なお図６（Ａ）は、本抑え部材３を髪の毛を止める側から見た場合の正面図を、図６（Ｂ）は図６（Ａ）のＡ−Ａ’の断面図、図６（Ｃ）は背面図をそれぞれ示す。
【００１８】
本抑え部材３の大きさをヘアクリップ２よりも大きくすることは、抑え部材３において強力な磁石を採用することができ、より強固に帽子を固定することができる観点において好ましいものであるが、本ヘアクリップ２及び本抑え部材３の形状に関し、ヘアクリップ２の中央部に凹部が形成されており、かつ、本抑え部材３は、この凹部よりも小さいものであることも好ましい一例である。このようにすることで、帽子等の布地を本ヘアクリップ２と本留め具３との間に配置した場合であっても安定的に本留め具３を本ヘアクリップ２の凹部に配置し、風などの外力が加わったとしても本留め具３の横ずれを最小限に抑えることができる。特に、ヘアクリップの凹部の形状よりも小さい略相似形となっていることは、抑え部材３の横ズレをより抑える観点において好ましい。ヘアクリップ２の凹部の形成の仕方は、特に限定されるわけではないが、例えば図７で示すように、ヘアクリップの板状部材２２の背面にゴムなど厚さを有する凸部材を配置することで孔２２１の周囲に環状に凸状部を形成し、中央部に凹部を形成することができるようになる。なお図７（Ａ）は正面図を、（Ｂ）は背面図を、（Ｃ）は右側面図を示す。
【００１９】
また本ヘアクリップ２及び本抑え部材３の形状に関し、ヘアクリップ２の中央部に凹部２４が形成されており、抑え部材３の中央部近傍に凸部３３が形成されており、上記ヘアクリップ２の中央部の凹部２４にこの凸部３３が配置可能となるようになっていること、更にはこの凸部３３が凹部２４と略相似形状となっていることも好ましい一態様である。このようにすることで、抑え部材３の大きさをヘアクリップの凹部２４よりも大きく確保することができる一方、抑え部材３との接続部分となる凸部３３を小さくすることで押さえ部材３の移動を規制することが可能となり、より密着性を高めることができるようになる。この例を図８に示しておく。なおこの場合において磁石３１は、凸部３３の面に出ていることが好ましい。なお図８（Ａ）は外側から見た場合の図、図８（Ｂ）は図８（Ａ）のＢ−Ｂ’の断面図である。
【００２０】
なお、本抑え部材３の外側（ヘアクリップ３に向く側とは反対の側）には、様々な絵、柄を付すことができ、ファッション性を高めることで、違和感無く使用することが可能である。 
【００２１】
以上、本留め具によると、上記したとおり、ヘアクリップ２自体は頭部における毛髪の任意の位置につけることが可能であり、このヘアクリップ２を着けた後、帽子４を被り、ヘアクリップ２の上に磁石を備えた抑え部材３を配置することで容易に帽子を留めることができる。ヘアクリップは、留める位置を大きく制限することが無いため、公知の技術に比べ、髪の毛に留める位置の選択の自由度が格段に高くなり、セットしたヘアスタイルを乱すおそれが格段に少なくなる。また仮に、想定よりも強い風が吹き、帽子が飛ばされてしまった場合であっても、抑え部材３とヘアクリップ２とが離れて帽子が脱げる程度であり、帽子と毛髪が強固に結びついているわけではなく、帽子が脱げる際に髪の毛を引っ張ることで使用者に不要なストレスを与えることや、帽子が脱げることによるヘアスタイルの乱れを発生させるおそれは殆どない。
【００２２】
以上、本考案により、帽子に特段の加工を施すことなく、かつ、容易に固定が可能な帽子用留め具を提供することができる。
【産業上の利用可能性】
【００２３】
本考案は、防止用留め具として、産業上の利用可能性がある。
【図面の簡単な説明】
【００２４】
【図１】実施形態に係る帽子用留め具の概略図である。
【図２】実施形態に係る防止用留め具の使用例を示す参考図である。
【図３】実施形態に係るヘアクリップの概略図である。
【図４】実施形態に係る抑え部材の概略図である。
【図５】実施形態に係る抑え部材の他の例の概略図である。
【図６】実施形態に係る抑え部材の他の例の概略図である。
【図７】実施形態に係るヘアクリップの他の例の断面図である。
【図８】実施形態に係る抑え部材の他の例の断面図である。
【符号の説明】
【００２５】
１…帽子用、２…ヘアクリップ、３…抑え部材、４…帽子
【図１】
0003148714.tif 000003
【図２】
0003148714.tif 000004
【図３】
0003148714.tif 000005
【図４】
0003148714.tif 000006
【図５】
0003148714.tif 000007
【図６】
0003148714.tif 000008
【図７】
0003148714.tif 000009
【図８】
0003148714.tif 000010